(57)【特許請求の範囲】
【請求項１】
映像信号の走査線数と飛越し走査または順次走査の走査方式とを、ある規格のものから他の規格のものへ変換できるようにしたディジタル放送用テレビジョン受信機において、
変換前の映像信号の水平同期信号を周波数逓倍してクロック信号として出力する逓倍手段と、
前記クロック信号を分周して変換後の映像信号の水平同期信号として出力する分周手段と、
前記変換前の映像信号の垂直同期信号及び前記クロック信号に基づき前記変換後の映像信号の垂直同期信号を生成する手段とを備え、
走査線数が５２５本の飛越し走査の映像信号を走査線数が１１２５本の飛越し走査の映像信号に変換する場合には、変換前の映像信号の水平同期信号を前記逓倍手段で４７４０逓倍して前記クロック信号を得、該クロック信号を前記分周手段で２２１２分周して変換後の映像信号の水平同期信号を得るようにしたことを特徴とするディジタル放送用テレビジョン受信機。
【請求項２】
映像信号の走査線数と飛越し走査または順次走査の走査方式とを、ある規格のものから他の規格のものへ変換できるようにしたディジタル放送用テレビジョン受信機において、
変換前の映像信号の水平同期信号を周波数逓倍してクロック信号として出力する逓倍手段と、
前記クロック信号を分周して変換後の映像信号の水平同期信号として出力する分周手段と、
前記変換前の映像信号の垂直同期信号及び前記クロック信号に基づき前記変換後の映像信号の垂直同期信号を生成する手段とを備え、
走査線数が５２５本の飛越し走査の映像信号を走査線数が７５０本の順次走査の映像信号に変換する場合には、変換前の映像信号の水平同期信号を前記逓倍手段で４７４０逓倍して前記クロック信号を得、該クロック信号を前記分周手段で１６５９分周して変換後の映像信号の水平同期信号を得るようにしたことを特徴とするディジタル放送用テレビジョン受信機。
【請求項３】
映像信号の走査線数と飛越し走査または順次走査の走査方式とを、ある規格のものから他の規格のものへ変換できるようにしたディジタル放送用テレビジョン受信機において、
変換前の映像信号の水平同期信号を周波数逓倍する第1の逓倍手段と、
前記第１の逓倍手段の出力を周波数逓倍してクロック信号として出力する第２の逓倍手段と、
前記クロック信号を分周して変換後の映像信号の水平同期信号として出力する分周手段と、
前記変換前の映像信号の垂直同期信号及び前記クロック信号に基づき前記変換後の映像信号の垂直同期信号を生成する手段とを備え、
走査線数が５２５本の順次走査の映像信号を走査線数が１１２５本の飛越し走査の映像信号に変換する場合には、変換前の映像信号の水平同期信号を前記第１の逓倍手段で９４８逓倍し、この第１の逓倍手段の出力を前記第２の逓倍手段によって２分周して５逓倍することで５／２逓倍して前記クロック信号を得、該クロック信号を前記分周手段で２２１２分周して変換後の映像信号の水平同期信号を得るようにしたことを特徴とするディジタル放送用テレビジョン受信機。
【請求項４】
映像信号の走査線数と飛越し走査または順次走査の走査方式とを、ある規格のものから他の規格のものへ変換できるようにしたディジタル放送用テレビジョン受信機において、
変換前の映像信号の水平同期信号を周波数逓倍する第1の逓倍手段と、
前記第１の逓倍手段の出力を周波数逓倍してクロック信号として出力する第２の逓倍手段と、
前記クロック信号を分周して変換後の映像信号の水平同期信号として出力する分周手段と、
前記変換前の映像信号の垂直同期信号及び前記クロック信号に基づき前記変換後の映像信号の垂直同期信号を生成する手段とを備え、
走査線数が５２５本の順次走査の映像信号を走査線数が７５０本の順次走査の映像信号に変換する場合には、変換前の映像信号の水平同期信号を前記第１の逓倍手段で９４８逓倍し、この第１の逓倍手段の出力を前記第２の逓倍手段によって２分周して５逓倍することで５／２逓倍して前記クロック信号を得、該クロック信号を前記分周手段で１６５９分周して変換後の映像信号の水平同期信号を得るようにしたことを特徴とするディジタル放送用テレビジョン受信機。
【請求項５】
映像信号の走査線数と飛越し走査または順次走査の走査方式とを、ある規格のものから他の規格のものへ変換できるようにしたディジタル放送用テレビジョン受信機において、
変換前の映像信号の水平同期信号を周波数逓倍する逓倍手段と、
前記逓倍手段の出力を分周してクロック信号として出力する第１の分周手段と、
前記クロック信号を分周して変換後の映像信号の水平同期信号として出力する第２の分周手段と、
前記変換前の映像信号の垂直同期信号及び前記クロック信号に基づき前記変換後の映像信号の垂直同期信号を生成する手段とを備え、
走査線数が１１２５本の飛越し走査の映像信号を走査線数が５２５本の飛越し走査の映像信号に変換する場合には、変換前の映像信号の水平同期信号を前記逓倍手段で２２１２逓倍し、この逓倍手段の出力を前記第1の分周手段で５分周して前記クロック信号を得、該クロック信号を前記第２の分周手段で９４８分周して変換後の映像信号の水平同期信号を得るようにしたことを特徴とするディジタル放送用テレビジョン受信機。
【請求項６】
映像信号の走査線数と飛越し走査または順次走査の走査方式とを、ある規格のものから他の規格のものへ変換できるようにしたディジタル放送用テレビジョン受信機において、
変換前の映像信号の水平同期信号を周波数逓倍する逓倍手段と、
前記逓倍手段の出力を分周してクロック信号として出力する第１の分周手段と、
前記クロック信号を分周して変換後の映像信号の水平同期信号として出力する第２の分周手段と、
前記変換前の映像信号の垂直同期信号及び前記クロック信号に基づき前記変換後の映像信号の垂直同期信号を生成する手段とを備え、
走査線数が１１２５本の飛越し走査の映像信号を走査線数が５２５本の順次走査の映像信号に変換する場合には、変換前の映像信号の水平同期信号を前記逓倍手段で２２１２逓倍し、この逓倍手段の出力を前記第1の分周手段で５／２分周して前記クロック信号を得、該クロック信号を前記第２の分周手段で９４８分周して変換後の映像信号の水平同期信号を得るようにしたことを特徴とするディジタル放送用テレビジョン受信機。
【請求項７】
映像信号の走査線数と飛越し走査または順次走査の走査方式とを、ある規格のものから他の規格のものへ変換できるようにしたディジタル放送用テレビジョン受信機において、
変換前の映像信号の水平同期信号を周波数逓倍する逓倍手段と、
前記逓倍手段の出力を分周してクロック信号として出力する第１の分周手段と、
前記クロック信号を分周して変換後の映像信号の水平同期信号として出力する第２の分周手段と、
前記変換前の映像信号の垂直同期信号及び前記クロック信号に基づき前記変換後の映像信号の垂直同期信号を生成する手段とを備え、
走査線数が７５０本の順次走査の映像信号を走査線数が５２５本の飛越し走査の映像信号に変換する場合には、変換前の映像信号の水平同期信号を前記逓倍手段で１６５９逓倍し、この逓倍手段の出力を前記第1の分周手段で５分周して前記クロック信号を得、該クロック信号を前記第２の分周手段で９４８分周して変換後の映像信号の水平同期信号を得るようにしたことを特徴とするディジタル放送用テレビジョン受信機。
【請求項８】
映像信号の走査線数と飛越し走査または順次走査の走査方式とを、ある規格のものから他の規格のものへ変換できるようにしたディジタル放送用テレビジョン受信機において、
変換前の映像信号の水平同期信号を周波数逓倍する逓倍手段と、
前記逓倍手段の出力を分周してクロック信号として出力する第１の分周手段と、
前記クロック信号を分周して変換後の映像信号の水平同期信号として出力する第２の分周手段と、
前記変換前の映像信号の垂直同期信号及び前記クロック信号に基づき前記変換後の映像信号の垂直同期信号を生成する手段とを備え、
走査線数が７５０本の順次走査の映像信号を走査線数が５２５本の順次走査の映像信号に変換する場合には、変換前の映像信号の水平同期信号を前記逓倍手段で１６５９逓倍し、この逓倍手段の出力を前記第1の分周手段で５／２分周して前記クロック信号を得、該クロック信号を前記第２の分周手段で９４８分周して変換後の映像信号の水平同期信号を得るようにしたことを特徴とするディジタル放送用テレビジョン受信機。
【発明の詳細な説明】
【０００１】
【発明の属する技術分野】
この発明は、テレビジョン受信機の映像信号の品位を変換する場合において、規格化された映像信号のフィールド周波数および走査線数を変えずに、品位変換後の映像信号の水平および垂直同期信号を得るためのある統一周波数のクロックを生成するクロック周波数生成装置を用いたディジタル放送用テレビジョン受信機に関する。
【０００２】
【従来の技術】
近年、テレビジョン放送は従来のアナログ放送に加え、ディジタル放送のサービスが開始されている。米国では１９９８年から地上波によるディジタル放送が開始され、日本国内でも２０００年から高品位な映像信号を主体としたＢＳディジタル放送が開始される。
【０００３】
また、ディジタル放送で取り扱う映像信号の規格も様々である。例えば、走査線数が５２５本で、画素数が８５８の飛越し走査方式の信号、同じく順次走査方式の信号（以下、ＳＤレベルの信号という）、走査線数が７５０本で画素数が１６５０の順次走査方式の信号や走査線数が１１２５本で画素数が２２００の信号（以下、ＨＤレベルの信号という）等がある。
【０００４】
ディジタル放送対応テレビジョン受信機では、上記のような各種の映像信号を供給し、ＨＤレベルの信号とＳＤレベルの信号を混合し、ＨＤレベルの信号の同期信号を用いて表示させたり、画面サイズを調整して、空き領域にグラフィックスや文字情報を表示させるなど、表示方法も多様化することが考えられる。
【０００５】
上述したような表示方法の多様化に対応するためには、ＳＤレベルの信号とＨＤレベルの信号とで、映像信号の品位を変換する手法を用いる必要がある。
【０００６】
しかしながら、各信号レベルの走査線数、フィールド周波数（５９．９４Ｈｚまたは６０Ｈｚ）等の値を考慮すると、規格化された値をそのまま用いたのでは、上述したような信号の品位を変換することが困難である。以下に、その一例を示す。
【０００７】
まず、ＳＤレベルの画素数８５８、走査線数５２５本の飛越し走査信号の水平同期信号周波数ｆＨとクロック周波数ＣＫを示すと、それぞれ
0003638443.tif 000002
となる。ただし、フィールド周波数は５９．９４Ｈｚの場合である。
【０００８】
次に、ＨＤレベルの画素数２２００、走査線数１１２５本の飛越し走査信号の水平同期信号周波数ｆＨとクロック周波数ＣＫを示すと、それぞれ
0003638443.tif 000003
となる。ただし、フィールド周波数は５９．９４Ｈｚの場合である。
【０００９】
以上に示した各信号レベルの値では、本来のフィールド周波数と走査線数を変えずに、ＳＤレベルの信号からＨＤレベルの信号に信号の品位を変換することが困難である。しかし、ＳＤレベルとＨＤレベルの双方の信号を入力可能なテレビジョン受信機では、ＨＤレベルの信号が入力された場合、映像信号の品位はそのままで表示していた。一方、ＳＤレベルの飛越し走査信号が入力された場合は、ＳＤレベルの順次走査信号に映像信号の品位を変換して表示していた。なお、順次走査変換については、特開平４−１５７８８６号公報等に詳述されている。
【００１０】
ただし、ＳＤレベルの順次走査信号とＨＤレベルの信号の水平同期周波数とは異なる。すなわち、ＳＤレベルの順次走査信号の水平同期周波数は３１．４６８ｋＨｚで、ＨＤレベルの信号の水平同期周波数は、上記（２）式で示したように３３．７１６ｋＨｚである。例えば、ブラウン管を用いたテレビジョン受信機では、このような水平同期周波数の違いも偏向系で制御して、上記の何れの映像信号も表示することが可能である。しかし、液晶プロジェクションテレビのように、偏向系を持たないテレビジョン受信機では、同一の水平同期周波数で映像を表示できるように、映像信号処理が必要となる。
【００１１】
【発明が解決しようとする課題】
上記した従来の映像信号の品位を変換するテレビジョン受信機の場合、規格化された映像信号のフィールド周波数および走査線数を、品位にそれぞれ合わせた映像信号のフィールド周波数および走査線数を得るためのクロックを発生される手段が必要であった。
【００１２】
この発明の目的は、映像信号の品位を変換する場合において、規格化された映像信号のフィールド周波数および走査線数を変えることなしに、品位変換後の映像信号の水平および垂直同期信号を得るために、ある統一周波数のクロックを生成するクロック周波数生成装置を用いたディジタル放送用テレビジョン受信機を提供する。
【００１３】
【課題を解決するための手段】
上記した課題を解決するために、請求項１記載の本発明のディジタル放送用テレビジョン受信機は、映像信号の走査線数と飛越し走査または順次走査の走査方式とを、ある規格のものから他の規格のものへ変換できるようにしたディジタル放送用テレビジョン受信機において、変換前の映像信号の水平同期信号を周波数逓倍してクロック信号として出力する逓倍手段と、前記クロック信号を分周して変換後の映像信号の水平同期信号として出力する分周手段と、前記変換前の映像信号の垂直同期信号及び前記クロック信号に基づき前記変換後の映像信号の垂直同期信号を生成する手段とを備え、走査線数が５２５本の飛越し走査の映像信号を走査線数が１１２５本の飛越し走査の映像信号に変換する場合には、変換前の映像信号の水平同期信号を前記逓倍手段で４７４０逓倍して前記クロック信号を得、該クロック信号を前記分周手段で２２１２分周して変換後の映像信号の水平同期信号を得るようにしたことを特徴とする。
【００１４】
請求項２記載の本発明のディジタル放送用テレビジョン受信機は、映像信号の走査線数と飛越し走査または順次走査の走査方式とを、ある規格のものから他の規格のものへ変換できるようにしたディジタル放送用テレビジョン受信機において、変換前の映像信号の水平同期信号を周波数逓倍してクロック信号として出力する逓倍手段と、前記クロック信号を分周して変換後の映像信号の水平同期信号として出力する分周手段と、前記変換前の映像信号の垂直同期信号及び前記クロック信号に基づき前記変換後の映像信号の垂直同期信号を生成する手段とを備え、
走査線数が５２５本の飛越し走査の映像信号を走査線数が７５０本の順次走査の映像信号に変換する場合には、変換前の映像信号の水平同期信号を前記逓倍手段で４７４０逓倍して前記クロック信号を得、該クロック信号を前記分周手段で１６５９分周して変換後の映像信号の水平同期信号を得るようにしたことを特徴とする。
【００１５】
請求項３記載の本発明のディジタル放送用テレビジョン受信機は、映像信号の走査線数と飛越し走査または順次走査の走査方式とを、ある規格のものから他の規格のものへ変換できるようにしたディジタル放送用テレビジョン受信機において、変換前の映像信号の水平同期信号を周波数逓倍する第1の逓倍手段と、前記第１の逓倍手段の出力を周波数逓倍してクロック信号として出力する第２の逓倍手段と、前記クロック信号を分周して変換後の映像信号の水平同期信号として出力する分周手段と、前記変換前の映像信号の垂直同期信号及び前記クロック信号に基づき前記変換後の映像信号の垂直同期信号を生成する手段とを備え、走査線数が５２５本の順次走査の映像信号を走査線数が１１２５本の飛越し走査の映像信号に変換する場合には、変換前の映像信号の水平同期信号を前記第１の逓倍手段で９４８逓倍し、この第１の逓倍手段の出力を前記第２の逓倍手段によって２分周して５逓倍することで５／２逓倍して前記クロック信号を得、該クロック信号を前記分周手段で２２１２分周して変換後の映像信号の水平同期信号を得るようにしたことを特徴とする。
【００１６】
請求項４記載の本発明のディジタル放送用テレビジョン受信機は、映像信号の走査線数と飛越し走査または順次走査の走査方式とを、ある規格のものから他の規格のものへ変換できるようにしたディジタル放送用テレビジョン受信機において、変換前の映像信号の水平同期信号を周波数逓倍する第1の逓倍手段と、前記第１の逓倍手段の出力を周波数逓倍してクロック信号として出力する第２の逓倍手段と、前記クロック信号を分周して変換後の映像信号の水平同期信号として出力する分周手段と、前記変換前の映像信号の垂直同期信号及び前記クロック信号に基づき前記変換後の映像信号の垂直同期信号を生成する手段とを備え、走査線数が５２５本の順次走査の映像信号を走査線数が７５０本の順次走査の映像信号に変換する場合には、変換前の映像信号の水平同期信号を前記第１の逓倍手段で９４８逓倍し、この第１の逓倍手段の出力を前記第２の逓倍手段によって２分周して５逓倍することで５／２逓倍して前記クロック信号を得、該クロック信号を前記分周手段で１６５９分周して変換後の映像信号の水平同期信号を得るようにしたことを特徴とする。
【００１７】
請求項５記載の本発明のディジタル放送用テレビジョン受信機は、映像信号の走査線数と飛越し走査または順次走査の走査方式とを、ある規格のものから他の規格のものへ変換できるようにしたディジタル放送用テレビジョン受信機において、変換前の映像信号の水平同期信号を周波数逓倍する逓倍手段と、前記逓倍手段の出力を分周してクロック信号として出力する第１の分周手段と、前記クロック信号を分周して変換後の映像信号の水平同期信号として出力する第２の分周手段と、前記変換前の映像信号の垂直同期信号及び前記クロック信号に基づき前記変換後の映像信号の垂直同期信号を生成する手段とを備え、走査線数が１１２５本の飛越し走査の映像信号を走査線数が５２５本の飛越し走査の映像信号に変換する場合には、変換前の映像信号の水平同期信号を前記逓倍手段で２２１２逓倍し、この逓倍手段の出力を前記第1の分周手段で５分周して前記クロック信号を得、該クロック信号を前記第２の分周手段で９４８分周して変換後の映像信号の水平同期信号を得るようにしたことを特徴とする。
【００１８】
請求項６記載の本発明のディジタル放送用テレビジョン受信機は、映像信号の走査線数と飛越し走査または順次走査の走査方式とを、ある規格のものから他の規格のものへ変換できるようにしたディジタル放送用テレビジョン受信機において、変換前の映像信号の水平同期信号を周波数逓倍する逓倍手段と、前記逓倍手段の出力を分周してクロック信号として出力する第１の分周手段と、前記クロック信号を分周して変換後の映像信号の水平同期信号として出力する第２の分周手段と、前記変換前の映像信号の垂直同期信号及び前記クロック信号に基づき前記変換後の映像信号の垂直同期信号を生成する手段とを備え、走査線数が１１２５本の飛越し走査の映像信号を走査線数が５２５本の順次走査の映像信号に変換する場合には、変換前の映像信号の水平同期信号を前記逓倍手段で２２１２逓倍し、この逓倍手段の出力を前記第1の分周手段で５／２分周して前記クロック信号を得、該クロック信号を前記第２の分周手段で９４８分周して変換後の映像信号の水平同期信号を得るようにしたことを特徴とする。
【００１９】
請求項７記載の本発明のディジタル放送用テレビジョン受信機は、映像信号の走査線数と飛越し走査または順次走査の走査方式とを、ある規格のものから他の規格のものへ変換できるようにしたディジタル放送用テレビジョン受信機において、変換前の映像信号の水平同期信号を周波数逓倍する逓倍手段と、前記逓倍手段の出力を分周してクロック信号として出力する第１の分周手段と、前記クロック信号を分周して変換後の映像信号の水平同期信号として出力する第２の分周手段と、前記変換前の映像信号の垂直同期信号及び前記クロック信号に基づき前記変換後の映像信号の垂直同期信号を生成する手段とを備え、走査線数が７５０本の順次走査の映像信号を走査線数が５２５本の飛越し走査の映像信号に変換する場合には、変換前の映像信号の水平同期信号を前記逓倍手段で１６５９逓倍し、この逓倍手段の出力を前記第1の分周手段で５分周して前記クロック信号を得、該クロック信号を前記第２の分周手段で９４８分周して変換後の映像信号の水平同期信号を得るようにしたことを特徴とする。
【００２０】
請求項８記載の本発明のディジタル放送用テレビジョン受信機は、映像信号の走査線数と飛越し走査または順次走査の走査方式とを、ある規格のものから他の規格のものへ変換できるようにしたディジタル放送用テレビジョン受信機において、変換前の映像信号の水平同期信号を周波数逓倍する逓倍手段と、前記逓倍手段の出力を分周してクロック信号として出力する第１の分周手段と、前記クロック信号を分周して変換後の映像信号の水平同期信号として出力する第２の分周手段と、前記変換前の映像信号の垂直同期信号及び前記クロック信号に基づき前記変換後の映像信号の垂直同期信号を生成する手段とを備え、走査線数が７５０本の順次走査の映像信号を走査線数が５２５本の順次走査の映像信号に変換する場合には、変換前の映像信号の水平同期信号を前記逓倍手段で１６５９逓倍し、この逓倍手段の出力を前記第1の分周手段で５／２分周して前記クロック信号を得、該クロック信号を前記第２の分周手段で９４８分周して変換後の映像信号の水平同期信号を得るようにしたことを特徴とする。
【００２１】
上記した第１〜第８の各手段によれば、映像信号の品位を変換する場合のテレビジョン受信機において、規格化された映像信号のフィールド周波数および走査線数を変えることなく、品位変換後の映像信号の水平および垂直同期信号を得るための、ある統一周波数のクロックを生成することが可能となる。
【００２２】
【発明の実施の形態】
以下、この発明の実施の形態について、図面を参照しながら詳細に説明する。
【００２３】
（第１の実施の形態）
図１は、この発明の第１の実施の形態について説明するための回路構成図を示すものである。この実施の形態は、ＳＤレベルの飛越し走査信号からＨＤレベルの飛越し走査信号に品位を変換する場合の例である。
【００２４】
図１において、入力端子０００１から入力される走査線数５２５本、画素数８５８、フィールド周波数５９．９４Ｈｚの飛越し走査信号は、同期分離回路０００２に供給する。同期分離回路０００２では、入力された映像信号から水平同期信号と垂直同期信号を分離する。同期分離回路０００２で分離された１５．７３４ｋＨｚの水平同期信号は、第１の逓倍回路０００９および第２の逓倍回路０００３を介して、垂直同期信号生成回路０００５に供給し、同様にして分離された垂直同期信号も垂直同期信号生成回路０００５に供給する。
【００２５】
第１の逓倍回路０００９では、１５．７３４ｋＨｚの水平同期信号を９４８逓倍する。第２の逓倍回路０００３では９４８逓倍された水平同期信号を、さらに５逓倍して７４．５８０ＭＨｚの周波数のクロックを生成し、分周回路０００４および出力端子０００６に出力する。
【００２６】
第１の逓倍回路０００９のより具体的な構成を図２に示す説明する。同期分離回路０００２で分離された水平同期信号は、入力端子３００を介して位相比較器３０１の一方の入力端子に供給する。位相比較器３０１の出力信号は、ループフィルタ３０２を介して電圧制御発振器３０３に供給する。電圧制御発振器３０３の出力は、出力端子３０４を介して逓倍回路０００３の出力信号となると同時に、分周器３０４に供給する。分周器３０４では、電圧制御発振器３０３の出力信号を９４８分周した後、位相比較器３０１の他方の入力端子に供給する。
【００２７】
第２の逓倍回路０００３は、第１の逓倍回路０００９と同様の構成であるため、詳細な説明は省略する。ただし、第２の逓倍回路０００３は、第１の逓倍回路の出力信号を５逓倍するため、分周器３０４では、５分周する構成である。
【００２８】
上記した位相比較器３０１、ループフィルタ３０２、電圧制御発振器３０３、分周器３０４を用いた回路は、位相同期ループ（以下、ＰＬＬ：Phase Locked Loop という）と呼ばれ、入力信号の位相および周波数に一致するように位相差を検出してフィードバックにより出力信号周波数を制御する回路である。
【００２９】
位相比較器３０１では、各々の入力信号の位相差に対応した出力電圧を発生する。また、ループフィルタ３０２では、位相比較器３０１の出力を受け、その振幅、位相特性によってＰＬＬの応答特性、同期特性を決定する。さらに、電圧制御発生器３０３では、ループフィルタ３０２の出力である制御信号電圧に応じて、発振周波数を決定する発振器である。
【００３０】
また、ＰＬＬは、電圧制御発振器の出力信号を分周する比によって、出力信号の周波数が制御される。
【００３１】
垂直同期信号生成回路０００５では、同期分離回路０００２から出力された垂直同期信号と、第２の逓倍回路０００３の出力信号を基に、変換後の信号品位に対応した垂直同期信号を生成し、分周回路０００４および出力端子０００８に出力する。
【００３２】
分周回路０００４では、垂直同期信号生成回路０００５から出力された信号を基準として、逓倍回路０００３から出力されたクロックを２２１２分周し、変換後の信号品位に対応した３３．７１６ｋＨｚの水平同期信号を生成し、出力端子０００７に出力する。
【００３３】
分周回路０００４の詳細な構成を図３に示す。入力端子４００に入力される垂直同期信垂号生成回路０００５からの垂直同期信垂号は、ＡＮＤ回路４０２の一方の入力端子に供給する。ＡＮＤ回路４０２の出力信号は、カウンタ４０３のクリア用の入力端子に供給する。カウンタ４０３はクリア用の入力端子に入力された信号が、Ｌレベルのときにクリアがかかり、入力端子４０１を介して入力された逓倍回路０００３の出力信号をカウンタ４０３のクロックとして、クロックの立ち上がりエッジに同期してカウンタ動作を行う。
【００３４】
カウンタ４０３の出力信号は、比較器４０４の一方の入力端子に供給し、比較器４０４の他方の入力端子から入力される一定値と比較し、一定値と一致したときにＬレベルの信号を、その他のときはＨレベルの信号を出力端子４０５およびＡＮＤ回路４０２の他方の入力端子に出力する。ＡＮＤ回路４０２では、双方の入力端子に入力される入力端子４００から入力される垂直同期信号と、比較器４０４の比較結果の論理積をとってカウンタ４０３のクリア用の入力端子に供給する。
【００３５】
この実施の形態では、分周回路０００４を用いて第２の逓倍回路０００３の出力信号を２２１２分周するため、比較器４０４に入力される一定値は「２２１２」である。
【００３６】
上記のように、ＳＤレベルの飛越し走査信号の水平同期信号を第１の逓倍回路０００９と第２の逓倍回路０００３とで４７４０逓倍したクロックを用いることにより、規格化された走査線数、フィールド周波数を変えずにＨＤレベルの飛越し走査信号の水平および垂直同期信号を生成することができる。
【００３７】
（第２の実施の形態）
この発明の第２の実施の形態について図４の回路構成図とともに説明する。この実施の形態は、ＳＤレベルの飛越し走査信号からＨＤレベルの順次走査信号に品位を変換するものである。なお、図１と同一の機能部分については同一の符号を付し、その詳細な説明は省略する。
【００３８】
入力端子００１０から入力された、走査線数５２５本、画素数８５８、フィールド周波数５９．９４Ｈｚの飛越し走査信号は、同期分離回路０００２に供給する。同期分離回路０００２では、入力された映像信号から水平同期信号と垂直同期信号を分離する。同期分離回路０００２で分離された１５．７３４ｋＨｚの水平同期信号は、第１の逓倍回路０００９および第２の逓倍回路０００３を介して垂直同期信号生成回路０００５に供給する。同様にして分離された垂直同期信号も垂直同期信号生成回路０００５に供給する。
【００３９】
第１の逓倍回路０００９では、１５．７３４ｋＨｚの水平同期信号を９４８逓倍する。第２の逓倍回路０００３では第１の逓倍回路０００９の出力をさらに５逓倍して７４．５８０ＭＨｚの周波数のクロックを生成し、分周回路００１１および出力端子００１２に出力する。
【００４０】
垂直同期信号生成回路０００５では、同期分離回路０００２から出力された垂直同期信号と、第２逓倍回路０００３の出力信号をもとに、変換後の信号品位に対応した垂直同期信号を生成し、分周回路００１１および出力端子００１４にそれぞれ出力する。
【００４１】
分周回路００１１では、垂直同期信号生成回路０００５から出力された信号を基準として、第２の逓倍回路０００３から出力されたクロックを１６５９分周し、変換後の信号品位に対応した４４．９５５ｋＨｚの水平同期信号を生成し、出力端子００１３に出力する。
【００４２】
分周回路００１１は、図１の分周回路０００４の一部を変えただけで基本的な構成は同様であるため、詳細な説明は省略する。ただし、この実施の形態で用いた分周回路００１１では、第２の逓倍回路０００３の出力信号を１６５９分周するため、図３の示した分周回路の構成において、比較器４０４の一方の入力端子に入力される一定値が「１６５９」となっただけである。
【００４３】
上記のように、ＳＤレベルの飛越し走査信号の水平同期信号を、第１の逓倍回路０００９および第２の逓倍回路０００３で４７４０逓倍したクロックを用いることで、規格化された走査線数、フィールド周波数を変えずにＨＤレベルの順次走査信号の水平および垂直同期信号を生成することができる。
【００４４】
また、第１の実施の形態と第２の実施の形態で示したように、ＳＤレベルの飛越し走査信号からＨＤレベルの飛越し走査または順次走査信号に品位を変換する場合、逓倍回路０００３でＳＤレベルの飛越し走査信号の水平同期信号を、４７４０逓倍して生成した統一のクロックを用いることにより、いずれのＨＤレベルの信号にも対応した水平および垂直同期信号を生成することが可能である。
【００４５】
（第３の実施の形態）
図５は、この発明の第３の実施の形態について説明するための回路構成図である。この実施の形態は、ＳＤレベルの順次走査信号からＨＤレベルの飛越し走査信号に品位を変換するものである。なお、図４と同一の機能部分には同一の符号を付し、その詳細な説明は省略する。
【００４６】
入力端子００２０から入力された、走査線数５２５本、画素数８５８、フィールド周波数５９．９４Ｈｚの順次走査信号は、同期分離回路０００２に供給する。同期分離回路０００２では、入力された映像信号から水平同期信号と垂直同期信号を分離する。同期分離回路０００２で分離された３１．４６８ｋＨｚの水平同期信号は、第１の逓倍回路０００９および第２の逓倍回路００２１を介して垂直同期信号生成回路０００５に供給する。同様にして分離された垂直同期信号も、垂直同期信号生成回路０００５に供給する。
【００４７】
第１の逓倍回路０００９では、３１．４６８ｋＨｚの水平同期信号を９４８逓倍する。第２の逓倍回路００２１では第１の逓倍回路０００９をさらに５／２逓倍して７４．５８０ＭＨｚの周波数のクロックを生成し、分周回路０００４および出力端子００２２にそれぞれ出力する。
【００４８】
第２の逓倍回路００２１の構成例を図６に示す。同期分離回路０００２で分離された水平同期信号は、入力端子２１０を介して第１の分周器２１１に供給する。第１の分周器２１１の出力で２分周された信号は、位相比較器２１２の一方の入力端子に供給する。位相比較器２１２の出力信号はループフィルタ２１３を介し、電圧制御発振器２１４に供給する。電圧制御発振器２１４の出力信号は、出力端子２１６を介して第２の逓倍回路００２１の出力信号となると同時に第２の分周器２１５に供給する。第２の分周器２１５では、電圧制御発振器２１４の出力信号を５分周した後、位相比較器２１２の他方の入力端子に供給する。
【００４９】
図６に示した第２の逓倍回路００２１の構成において、第１の分周器２１１の以降の位相比較器２１２、ループフィルタ２１３、電圧制御発振器２１４、第２の分周器２１５を用いた構成は、図１で説明したＰＬＬの構成である。この実施の形態では、第１の逓倍回路０００９の出力信号を５／２逓倍して生成したクロックを用いて、品位変換後の映像信号に対応した水平および垂直同期信号を生成している。よって、第２の逓倍回路００２１では、第１の逓倍回路０００９の出力信号を、先に２分周した後、ＰＬＬを介して５逓倍することで、５／２逓倍することを実現する構成を示した。
【００５０】
なお、第１の逓倍回路０００９の出力信号を、先にＰＬＬを用いて５逓倍した後に２分周する構成でも、第１の逓倍回路０００９の出力信号を５／２逓倍した信号を得ることができる。
【００５１】
垂直同期信号生成回路０００５では、同期分離回路０００２から出力された垂直同期信号と、第２の逓倍回路００２１の出力信号をもとに、変換後の信号品位に対応した垂直同期信号を生成し、分周回路０００４および出力端子００２４に出力する。
【００５２】
分周回路０００４では、垂直同期信号生成回路０００５で生成された垂直同期信号を基準として、第２の逓倍回路００２１から出力されたクロックを２２１２分周し、変換後の信号品位に対応した３３．７１６ｋＨｚの水平同期信号を生成し、出力端子００２３に出力する。
【００５３】
上記のように、ＳＤレベルの順次走査信号の水平同期信号を、第１の分周回路０００９および第２の分周回路００２１で４７４０／２逓倍したクロックを用いることで、規格化された走査線数、フィールド周波数を変えずにＨＤレベルの飛越し走査信号の水平および垂直同期信号を生成することができる。
【００５４】
（第４の実施の形態）
この発明の第４の実施の形態について、図７の回路構成図とともに説明する。この実施の形態は、ＳＤレベルの順次走査信号からＨＤレベルの順次走査信号に品位を変換するものである。なお、他の実施の形態と同一の機能部分には同一の符号を付して、その詳細な説明は省略する。
【００５５】
入力端子００３０から入力された、走査線数５２５本、画素数８５８、フィールド周波数５９．９４Ｈｚの順次走査信号は、同期分離回路０００２に供給する。同期分離回路０００２では、入力された映像信号から水平同期信号と垂直同期信号を分離する。同期分離回路０００２で分離された３１．４６８ｋＨｚの水平同期信号は、第１および第２の逓倍回路０００９，００２１をそれぞれ介して垂直同期信号生成回路０００５に供給する。同様にして分離された５９．９４Ｈｚの垂直同期信号も、垂直同期信号生成回路０００５に供給する。
【００５６】
第１の逓倍回路０００９では、３１．４６８ｋＨｚの水平同期信号を９４８逓倍する。第２の逓倍回路００２１では、第１の逓倍回路０００９の出力を５／２逓倍して７４．５８０ＭＨｚの周波数のクロックを生成し、分周回路００１１および出力端子００３１に出力する。
【００５７】
垂直同期信号生成回路０００５では、同期分離回路０００２から出力された垂直同期信号と、第２の逓倍回路００２１の出力信号を基に、変換後の信号品位に対応した垂直同期信号を生成し、分周回路００１１および出力端子００３３にそれぞれ出力する。
【００５８】
分周回路００１１では、垂直同期信号生成回路０００５から出力された信号を基準として、第２の逓倍回路００２１から出力されたクロックを１６５９分周し、変換後の信号品位に対応した４４．９５５ｋＨｚの水平同期信号を生成し、出力端子００３２に出力する。
【００５９】
上記したように、ＳＤレベルの順次走査信号の水平同期信号を、第１の逓倍回路０００９および第２の逓倍回路００２１で４７４０／２逓倍したクロックを用いることで、規格化された走査線数、フィールド周波数５９．９４Ｈｚを変えずにＨＤレベルの順次走査信号の水平および垂直同期信号を生成することができる。
【００６０】なお、図５、図７の各実施の形態で説明したように、ＳＤレベルの順次走査信号からＨＤレベルの飛越し走査または順次走査信号に品位を変換する場合、ＳＤレベルの順次走査信号の水平同期信号を、第１の逓倍回路０００９および第２の逓倍回路００２１で４７４０／２逓倍して生成した統一のクロックを用いることにより、いずれのＨＤレベルの信号にも対応した水平および垂直同期信号を生成することが可能である。
【００６１】
（第５の実施の形態）
図８は、この発明の第５の実施の形態について説明するための回路構成図である。この実施の形態は、ＨＤレベルの飛越し走査信号からＳＤレベルの飛越し走査信号に品位を変換する場合の例である。なお、他の実施の形態と同一の機能部分には、同一の符号を付しその詳細な説明は省略する。
【００６２】入力端子００４０から入力された走査線数１１２５本、画素数２２００、フィールド周波数５９．９４Ｈｚの飛越し走査信号は、同期分離回路０００２に供給する。同期分離回路０００２では、入力された映像信号から水平同期信号と垂直同期信号を分離する。同期分離回路０００２で分離された３３．７１６ｋＨｚの水平同期信号は、逓倍回路００４１および第１の分周回路００４７を介し、垂直同期信号生成回路０００５に供給する。同様にして分離された５９．９４Ｈｚの垂直同期信号も、垂直同期信号生成回路０００５に供給する。
【００６３】
逓倍回路００４１では、３３．７１６ｋＨｚの水平同期信号を２２１２逓倍する。第１の分周回路００４７では、逓倍回路００４１の出力を５分周して１４．９１５ＭＨｚの周波数のクロックを生成し、第２の分周回路００４２および出力端子００４３に出力する。
【００６４】
逓倍回路００４１の構成は、基本的に図２で示した第１の逓倍回路０００９と同様であるため、詳細な説明は省略する。ただし、この実施の形態では、同期分離回路０００２で分離された水平同期信号を２２１２逓倍するため、分周器３０４で２２１２分周する構成である。すなわち、同期分離回路０００２で分離された水平同期信号をＰＬＬで２２１２逓倍する構成である。
【００６５】
垂直同期信号生成回路０００５では、同期分離回路０００２から出力された垂直同期信号と逓倍回路００４１の出力信号を基に、変換後の信号品位に対応した垂直同期信号を生成し、第２の分周回路００４２および出力端子００４５にそれぞれ出力する。
【００６６】
第２の分周回路００４２では、垂直同期信号生成回路０００５から出力された信号を基準として、逓倍回路００４１から出力されたクロックを９４８分周し、変換後の信号品位に対応した１５．７３４ｋＨｚの水平同期信号を生成し、出力端子００４４に出力する。
【００６７】
第２の分周回路００４２は、垂直同期信号生成回路０００５と同様、図１で用いた分周回路０００４の一部を変えただけで基本的な構成は同様であるため、詳細な説明は省略する。ただし、この実施の形態で用いた第２の分周回路００４２では、第１の分周回路００４７の出力信号を９４８分周するため、第４図の示した構成において、比較器４０４の一方の入力端子に入力される一定値が「９４８」となっただけである。
【００６８】
上記のように、ＨＤレベルの飛越し走査信号の水平同期信号を、逓倍回路００４１および第１の分周回路００４７で２２１２／５逓倍したクロックを用いることで、規格化された走査線数、フィールド周波数を変えずにＳＤレベルの飛越し走査信号の水平および垂直同期信号を生成することができる。
【００６９】
（第６の実施の形態）
図９は、この発明の実施の形態の回路構成図について説明する。この実施の形態は、ＨＤレベルの飛越し走査信号からＳＤレベルの順次走査信号に品位を変換した場合の例である。なお、他の実施の形態と同一の機能部分には、同一の符号を付し、その詳細な説明は省略する。
【００７０】入力端子００５０から入力された、走査線数１１２５本、画素数２２００、フィールド周波数５９．９４Ｈｚの飛越し走査信号は、同期分離回路０００２に供給する。同期分離回路０００２では、入力された映像信号から水平同期信号と垂直同期信号を分離する。同期分離回路０００２で分離された３３．７１６ｋＨｚの水平同期信号は、逓倍回路００４１および第１の分周回路００５１を介し、垂直同期信号生成回路０００５に供給する。垂直同期信号も同様に、垂直同期信号生成回路０００５に供給する。
【００７１】
逓倍回路００４１では、３３．７１６ｋＨｚの水平同期信号を２２１２逓倍する。第１の分周回路では、逓倍回路００４１の出力を５／２分周し、２９．８３１ＭＨｚの周波数のクロックを生成し、分周回路００４２および出力端子００５２に出力する。
【００７２】
垂直同期信号生成回路０００５では、同期分離回路０００２から出力された垂直同期信号と、第１の分周回路００５１の出力信号をもとに、変換後の信号品位に対応した垂直同期信号を生成し、第２の分周回路００４２および出力端子００５４に出力する。
【００７３】
第２の分周回路００４２では、垂直同期信号生成回路０００５から出力された信号を基準として、第１の分周回路００５１から出力されたクロックを９４８分周し、変換後の信号品位に対応した３１．４６８ｋＨｚの水平同期信号を生成し、出力端子００５３に出力する。
【００７４】
上記のように、ＨＤレベルの飛越し走査信号の水平同期信号を、逓倍回路００４１と第１の分周回路００５１で４４２４／５逓倍したクロックを用いることで、規格化された走査線数、フィールド周波数を変えずにＳＤレベルの順次走査信号の水平および垂直同期信号を生成することができる。
【００７５】
（第７の実施の形態）
この発明の第７の実施の形態について図１０の回路構成図を用いて説明する。この実施の形態は、ＨＤレベルの順次走査信号からＳＤレベルの飛越し走査信号に品位を変換する場合の例である。なお、他の実施の形態と同一の機能部分には同一の符号を付し、その詳細な説明は省略する。
【００７６】
入力端子００６０から入力された走査線数７５０本、画素数１６５０、フィールド周波数５９．９４Ｈｚの順次走査信号は、同期分離回路０００２に供給する。同期分離回路０００２では、入力された映像信号から水平同期信号と垂直同期信号を分離する。同期分離回路０００２で分離された４４．９５５ｋＨｚの水平同期信号は逓倍回路００６１および第１の分周回路００４７を介して垂直同期信号生成回路０００５に供給する。同様にして分離された５９．９４Ｈｚの垂直同期信号も、垂直同期信号生成回路０００５に供給する。
【００７７】
逓倍回路００６１では、４４．９５５ｋＨｚの水平同期信号を１６５９逓倍する。第１の分周回路では、逓倍回路００６１の出力を５分周して１４．９１５ＭＨｚの周波数のクロックを生成し、分周回路００４２および出力端子００６２に出力する。
【００７８】
垂直同期信号生成回路０００５では、同期分離回路０００２から出力された垂直同期信号と、第１の分周回路００４７の出力信号をもとに、変換後の信号品位に対応した垂直同期信号を生成し、分周回路００４２および出力端子００６４に出力する。
【００７９】
第２の分周回路００４２では、垂直同期信号生成回路０００５から出力された信号を基準として、第１の分周回路００４７から出力されたクロックを９４８分周し、変換後の信号品位に対応した１５．７３４ｋＨｚの水平同期信号を生成し、出力端子００６３に出力する。
【００８０】
上記のように、ＨＤレベルの順次走査信号の水平同期信号を、逓倍回路００６１および第１の分周回路００４７で１６５９／５逓倍したクロックを用いることで、規格化された走査線数、フィールド周波数を変えずにＳＤレベルの飛越し走査信号の水平および垂直同期信号を生成することができる。
【００８１】
（第８の実施の形態）
図１１は、この発明の実施の形態について説明するための回路構成図である。この実施の形態は、ＨＤレベルの順次走査信号からＳＤレベルの順次走査信号に品位を変換する場合例である。なお、他の実施の形態と同一の機能部分には同一の符号を付し、その詳細な説明は省略する。
【００８２】
入力端子００７０から入力された走査線数７５０本、画素数１６５０、フィールド周波数５９．９４Ｈｚの順次走査信号は、同期分離回路０００２に供給する。同期分離回路０００２では、入力された映像信号から水平同期信号と垂直同期信号を分離する。同期分離回路０００２で分離された４４．９５５ｋＨｚの水平同期信号は逓倍回路００６１および第１の分周回路００５１を介して垂直同期信号生成回路０００５に供給する。同様にして分離された垂直同期信号も、垂直同期信号生成回路０００５に供給する。
【００８３】
逓倍回路００６１では、４４．９５５ｋＨｚの水平同期信号を１６５９逓倍する。第１の分周回路００５１は、逓倍回路００６１の出力を５／２分周して２９．８３１ＭＨｚの周波数のクロックを生成し、分周回路００４２および出力端子００７２に出力する。
【００８４】
垂直同期信号生成回路０００５では、同期分離回路０００２から出力された垂直同期信号と、第１の分周回路００５１の出力信号をもとに、変換後の信号品位に対応した垂直同期信号を生成し、第２の分周回路００４２および出力端子００７４に出力する。
【００８５】
第２の分周回路００４２では、垂直同期信号生成回路０００５から出力された信号を基準として、第１の分周回路００５１から出力されたクロックを９４８分周し、変換後の信号品位に対応した３１．４６８ＭＨｚの水平同期信号を生成し、出力端子００７３に出力する。
【００８６】
上記のように、ＨＤレベルの順次走査信号の水平同期信号を、逓倍回路００６１および第１の分周回路００５１で３３１８／５逓倍したクロックを用いることで、規格化された走査線数、フィールド周波数を変えずにＳＤレベルの順次走査信号の水平および垂直同期信号を生成することができる。
【００８７】
上記したこの発明の第５〜第８の各実施の形態で説明したように、ＨＤレベルの信号からＳＤレベルの信号に品位を変換する場合、信号品位の変換前後の走査線数、走査方式によってＨＤレベルの信号の水平同期信号を逓倍する逓倍比は異なるものの、いずれの場合もＨＤレベルの信号の水平同期信号を逓倍した結果を９４８分周することで、ＳＤレベルの信号の水平同期信号を生成することができる。
【００８８】
なお、この発明の第１〜第８の各実施の形態では、フィールド周波数が５９．９４Ｈｚの場合について述べたが、６０Ｈｚの場合においても同様の構成で成り立つものである。
【００８９】
【発明の効果】
以上説明したように、この発明のクロック周波数生成装置によれば、テレビジョン受信機における映像信号の品位を変換する場合に、規格化された映像信号のフィールド周波数および走査線数を変えることなく、品位変換後の映像信号の水平および垂直同期信号を得るための、ある統一周波数のクロックを生成することが可能となる。
【図面の簡単な説明】
【図１】この発明の第１の実施の形態について説明するための回路構成図。
【図２】図１の逓倍回路の具体的な構成例について説明するための回路構成図。
【図３】図１の分周回路の具体的な構成例について説明するための回路構成図。
【図４】この発明の第２の実施の形態について説明するための回路構成図。
【図５】この発明の第３の実施の形態について説明するための回路構成図。
【図６】図５の第２の逓倍回路の具体的な構成例について説明するための回路構成図。
【図７】この発明の第４の実施の形態について説明するための回路構成図。
【図８】この発明の第５の実施の形態について説明するための回路構成図。
【図９】この発明の第６の実施の形態について説明するための回路構成図。
【図１０】この発明の第７の実施の形態について説明するための回路構成図。
【図１１】この発明の第８の実施の形態について説明するための回路構成図。
【符号の説明】
０００２…同期分離回路、０００３，００２１…第２の逓倍回路、０００４，００１１…分周回路、０００５…垂直同期信号生成回路、０００９…第１の逓倍回路、００４１，００６１…逓倍回路、００５１，００４７…第１の分周回路、００４２…第２の分周回路。
【図１】
0003638443.tif 000004
【図２】
0003638443.tif 000005
【図３】
0003638443.tif 000006
【図４】
0003638443.tif 000007
【図５】
0003638443.tif 000008
【図６】
0003638443.tif 000009
【図７】
0003638443.tif 000010
【図８】
0003638443.tif 000011
【図９】
0003638443.tif 000012
【図１０】
0003638443.tif 000013
【図１１】
0003638443.tif 000014